(57)【特許請求の範囲】
【請求項１】
断面形状が半円弧状をなす合成樹脂製竹に、飾り紐を、その結び目が竹の表面の凸面に位置し、裏面において竹の長手方向の２箇所に分離させて配置される合成樹脂製竹垣において、
前記竹の裏面に配置され、前記２箇所に分離された紐の部分をそれぞれ掛ける係合部を有するよれ防止部材を備えたことを特徴とする合成樹脂製竹垣。
【発明の詳細な説明】
【０００１】
【発明の属する技術分野】
本発明は、竹竿を並べた外観を有する合成樹脂製パネル本体を、横桟と縦桟により組まれた枠体に固定してパネルユニットを構成し、該パネルユニットを支柱に固定してなる合成樹脂製竹垣に係り、特に合成樹脂製竹に巻き付ける飾り紐のよれを防止する手段に関する。
【０００２】
【従来の技術】
料亭や庭園等には、日本的雰囲気をかもし出すために、竹垣が設置されることがあり、近年においては、この竹垣を合成樹脂製の材料で作製することが多い。このような竹垣として、特開平１−２７５８７５号公報においては、竹垣を構成する竹竿を１本ずつ用意するのではなく、複数本の竹竿を並べた外観を呈する合成樹脂製のパネル本体を作製し、該パネル本体をアルミニウム合金製押出形材等に固定してパネルを構成し、該パネルを現場で支柱に取付けることにより、施工の省力化を図ったものが提案されている。
【０００３】
このような合成樹脂製竹垣において、パネル本体のように、複数本の竹を並べて一体に成形したものに対して、そのパネル本体の竹形状の長手方向に対して直角方向に配置される押え竹や笠竹等の独立の竹は、ねじにより枠体等に固定されるが、天然の竹材を紐で結んで組んだ従来からの竹垣と同様の印象を見る人に与えるため、前記押え竹等には飾り紐を巻き付けることが行われる。
【０００４】
【発明が解決しようとする課題】
このように、飾り紐を押え竹等に巻き付けた構造を採用した場合、飾り紐は独立に配置される押え竹等に巻き付けられただけで配置されるので、互いに交差するパネル本体の連続する竹と押え竹等の間を結んだ印象を与えるように、飾り紐は断面半円弧状の押え竹等の凸面である表面側で結ばれ、押え竹等の裏面側は、紐が左右に分離させて配置され、飾り紐は摩擦だけで分離された形状を保持しているので、飾り紐が何らかの力を受けて裏面側の分離して配置された部分が互いに近接してよれ、外観が低下するという問題点があった。
【０００５】
本発明は、上記した飾り紐の取付構造を改良し、飾り紐によれが生じない構造の合成樹脂製竹垣を提供することを目的とする。
【０００６】
【課題を解決するための手段】
本発明は、断面形状が半円弧状をなす合成樹脂製竹に飾り紐を、その結び目が竹の表面の凸面に位置し、裏面において竹の長手方向の２箇所に分離させて配置する合成樹脂製竹垣において、
前記竹の裏面に配置され、前記２箇所に分離された紐の部分をそれぞれ掛ける係合部を有するよれ防止部材を備えたことを特徴とする。
【０００７】
本発明によれば、よれ防止部材により、竹の裏面側において分離されている飾り紐の部分が離間された状態が維持され、飾り紐のよれが防止される。
【０００８】
【発明の実施の形態】
図１（Ａ）、（Ｂ）はそれぞれ本発明による合成樹脂製竹垣の一実施の形態をフリーポール型の竹垣について示す平面図、正面図である。図１において、１はアルミニウム合金製あるいは合成樹脂製押出形材からなる支柱であり、地中に施工されたコンクリート製基礎２に根本部が埋め込まれて立設される。
【０００９】
３ａ〜３ｄはパネルユニットであり、各パネルユニット３ａ〜３ｄは、図２に示すように、上桟４と下桟５と必要に応じて１本以上設ける中横桟６からなる横桟と、その両端にねじ結合する縦桟７（これらの桟４〜７はアルミニウム合金製または合成樹脂製押出形材からなる。）によって枠体を構成し、該枠体を支柱１にブラケット１７〜１９により固定する。また、パネルユニット３ａ〜３ｄは、これらのうち対向する一方または双方に固定されるブラケット２０、２３、２５、２８、３３およびねじ２１、２２、２６、２７、３４により結合される。
【００１０】
図３の平面図に示すように、半割りの縦向きの竹竿を横に並べた外観を有する合成樹脂製パネル本体８を、工場においてねじ９等によって固定するかあるいは接着することにより、一体化されたユニットとして構成する。本例においては、支柱１の片側にのみパネルユニット３ａ〜３ｄを設けた例について示しているが、両側に取付ける場合もある。また、間仕切り型（支柱１、１間にパネルユニットを設けるもの）の場合、パネル本体８を枠体の両側に付ける場合もある。
【００１１】
図１（Ｂ）に示すように、パネル本体８の外面には、断面形状が半円弧状をなす押し竹１０が予め工場において固定される。押え竹１０にはこれらがパネル本体８の竹に対して結合されている印象を与えるための飾り紐１２が取り付けられている。
【００１２】
これらの押え竹１０のうち、図３の平面図、図４の正面図に示すように、パネル本体８の最上部の押え竹１０は、パネル本体８の凸面８ａには押え竹１０の下部のみが接するため、上部の分離された部分１２ａ、１２ｂは拘束されず、矢印ｘで示すように動いて２点鎖線ａで示すように中央の結び目１２ｃ側に寄り易くなる。このため、本発明においては、前記図３、図４以外に図５（Ａ）の側面図にも示すように、押え竹１０の裏面に、合成樹脂製のよれ防止部材１３を装着する。
【００１３】
本実施の形態においては、上桟４に固定されるブラケット１４を介して押え竹１０を取り付ける構造を有しており、該ブラケット１４は、図３、図５（Ａ）、（Ｂ）に示すように、上桟４に取り付けるためのねじを挿通する孔１４ｃを有し、側方に突出した押え竹取付片４ａの先端に取付ねじ１１を挿通する孔４ｄを有し、かつ笠竹１５の下面に取り付けた係止体１６を弾発的に係止して笠竹１５を取り付けるためのＵ字形の笠竹取付部１４ｂを有するものである。
【００１４】
図６（Ａ）、（Ｂ）、（Ｃ）はそれぞれ前記よれ防止部材１３を示す正面図、平面図、側面図であり、該よれ防止部材１３は左右に前記飾り紐１２の裏面の分離された部分１２ａ、１２ｂを掛ける係合部１３ａを有する。また、本実施の形態においては、前記ブラケット１４の押え竹取付片１４ａを挿通するため、よれ防止部材１３を四角形の枠状に形成して中央を開口部１３ｂとし、４隅に前記係合部１３ａを設けている。
【００１５】
このように、よれ防止部材１３によって飾り紐１２のよれを防止することにより、よれによる外観の低下を防止することができる。
【００１６】
以上の説明は、押え竹１０がブラケット１４を介して上桟４に取り付けられる例について示したが、押え竹１０と上桟４との間に、取付ねじを挿通する位置規制用スリーブを介して押え竹１０を取り付ける場合等においても適用できる。また、上記説明は、パネルユニットが上下１段または２段、左右に２枚の例について行ったが、本発明においては、このパネルユニットの取付け数はこの例に限定されないことはいうまでもない。また、本発明は、パネル本体８の竹の向きが横向きに形成され、押え竹１０が縦向きに設けられる場合にも適用でき、笠竹１５に飾り紐１２を設ける場合にも適用できる。また、竹の裏面において、分離された部分１２ａ、１２ｂがそれぞれ２条以上となるように結ばれる場合にも勿論適用される。
【００１７】
【発明の効果】
本発明によれば、竹の裏面に配置され、２箇所に分離された紐の部分をそれぞれ掛ける係合部を有するよれ防止部材を備えたので、
竹の裏面側において分離されている飾り紐が離間された状態が維持され、飾り紐のよれが防止され、外観の低下が防止される。
【図面の簡単な説明】
【図１】（Ａ）、（Ｂ）はそれぞれ本発明の合成樹脂製竹垣の一実施の形態を示す平面図、正面図である。
【図２】本実施の形態のパネルユニットの取付構造を、パネル本体の図示を省略して示す正面図である。
【図３】本実施の形態の竹垣の平面図である。
【図４】本実施の形態において、パネル本体の最上部の押え竹に対する飾り紐の取付状態を示す正面図である。
【図５】（Ａ）は本実施の形態における笠竹および押え竹とよれ防止部材を示す側面図、（Ｂ）は本例における押え竹取付用ブラケットの斜視図である。
【図６】（Ａ）、（Ｂ）、（Ｃ）はそれぞれ本実施の形態におけるよれ防止部材の正面図、平面図、側面図である。
【符号の説明】
１：支柱、２：コンクリート基礎、３ａ〜３ｄ：パネルユニット、４：上桟、５：下桟、６：中横桟、７：縦桟、８：パネル本体、１０：押え竹、１２：飾り紐、１２ａ、１２ｂ：分離部分、１２ｃ：結び目、１３：よれ防止部材、１３ａ：係合部、１４：ブラケット、１４ａ：押え竹取付片、１５：笠竹
【図１】
0003888494.tif 000002
【図２】
0003888494.tif 000003
【図３】
0003888494.tif 000004
【図４】
0003888494.tif 000005
【図５】
0003888494.tif 000006
【図６】
0003888494.tif 000007